【手続補正書】
【提出日】平成17年3月23日(2005.3.23)
【手続補正１】
【補正対象書類名】明細書
【補正対象項目名】発明の名称
【補正方法】変更
【補正の内容】
【発明の名称】異機種間代行印刷システム、クライアント端末装置及びプリンタ
【手続補正２】
【補正対象書類名】明細書
【補正対象項目名】特許請求の範囲
【補正方法】変更
【補正の内容】
【特許請求の範囲】
【請求項１】
複数の機種の異なるプリンタが接続されたネットワーク上のコンピュータにおける異機種間代行印刷システムであり、該システムが、所与の印刷データをプリンタの機種に依存しないコマンドおよびページ毎のイメージデータに変換するイメージ展開手段と、各プリンタ機種に対する印刷上必要なプリンタ情報を管理するプリンタ情報管理手段と、使用中のプリンタが使用不能となった場合に使用可能な代行プリンタを求める代行プリンタ判定手段と、前記代行プリンタのプリンタ情報を前記プリンタ情報管理手段から得る情報獲得手段と、前記情報獲得手段が得たプリンタ情報に基づいて前記コマンドおよび前記イメージデータを前記代行プリンタ用に変換する変換手段と、変換手段からの変換結果を前記代行プリンタに送る送出手段とを備えたことを特徴とする異機種間代行印刷システム。
【請求項２】
各プリンタに対する前記プリンタ情報が、それぞれのプリンタ言語への変換テーブルを含み、且つ前記変換手段が、前記コマンドを代行プリンタのプリンタ言語に変換する言語変換手段を含むことを特徴とする請求項１記載の異機種間代行印刷システム。
【請求項３】
各プリンタに対する前記プリンタ情報が、それぞれのプリンタの解像度を含み、且つ前記変換手段が、イメージデータの解像度を代行プリンタの解像度に変換する解像度変換手段を含むことを特徴とする請求項１又は２記載の異機種間代行印刷システム。
【請求項４】
前記イメージ展開手段が、前記イメージデータの解像度が前記ネットワークに接続された全てのプリンタの機種の解像度の最小公倍数となるように前記展開を行うことを特徴とする請求項３記載の異機種間代行印刷システム。
【請求項５】
各プリンタに対する前記プリンタ情報が、それぞれのプリンタに必要なプロトコルを含み、且つ前記送出手段が、前記代行プリンタのプロトコルを用いて送信することを特徴とする請求項１乃至４の何れかに記載の異機種間代行印刷システム。
【請求項６】
ネットワーク上に接続された複数の機種の異なるプリンタに対して異機種間代行印刷を行なうクライアント端末装置であって、
該クライアント端末装置が、所与の印刷データをプリンタの機種に依存しないコマンドおよびページ毎のイメージデータに変換するイメージ展開手段と、各プリンタ機種に対する印刷上必要なプリンタ情報を管理するプリンタ情報管理手段と、使用中のプリンタが使用不能となった場合に使用可能な代行プリンタを求める代行プリンタ判定手段と、前記代行プリンタのプリンタ情報を前記プリンタ情報管理手段から得る情報獲得手段と、前記情報獲得手段が得たプリンタ情報に基づいて前記コマンドおよび前記イメージデータを前記代行プリンタ用に変換する変換手段と、変換手段からの変換結果を前記代行プリンタに送る送出手段とを備えたことを特徴とするクライアント端末装置。
【請求項７】
各プリンタに対する前記プリンタ情報が、それぞれのプリンタ言語への変換テーブルを含み、且つ前記変換手段が、前記コマンドを代行プリンタのプリンタ言語に変換する言語変換手段を含むことを特徴とする請求項６記載のクライアント端末装置。
【請求項８】
各プリンタに対する前記プリンタ情報が、それぞれのプリンタの解像度を含み、且つ前記変換手段が、イメージデータの解像度を代行プリンタの解像度に変換する解像度変換手段を含むことを特徴とする請求項６又は７記載のクライアント端末装置。
【請求項９】
前記イメージ展開手段が、前記イメージデータの解像度が前記ネットワークに接続された全てのプリンタの機種の解像度の最小公倍数となるように前記展開を行うことを特徴とする請求項８記載のクライアント端末装置。
【請求項１０】
各プリンタに対する前記プリンタ情報が、それぞれのプリンタに必要なプロトコルを含み、且つ前記送出手段が、前記代行プリンタのプロトコルを用いて送信することを特徴とする請求項６乃至９の何れかに記載のクライアント端末装置。
【請求項１１】
請求項６乃至１０の何れか一項に記載のクライアント端末装置からのコマンド及び印刷データに基づいて、イメージデータを印刷することを特徴とするプリンタ。
【請求項１２】
前記クライアント端末装置から依頼された印刷を実行中に印刷ジョブを実行できなくなった場合、少なくとも当該印刷ジョブを実行できなくなった旨を前記クライアント端末装置に報告する手段を備えていることを特徴とする請求項１１に記載のプリンタ。
【手続補正３】
【補正対象書類名】明細書
【補正対象項目名】０００４
【補正方法】変更
【補正の内容】
【０００４】
【課題を解決するための手段】
上記課題を解決するため、請求項１の異機種間代行印刷システムは、複数の機種の異なるプリンタが接続されたネットワーク上のコンピュータにおける異機種間代行印刷システムであり、該システムが、所与の印刷データをプリンタの機種に依存しないコマンドおよびページ毎のイメージデータに変換するイメージ展開手段と、各プリンタ機種に対する印刷上必要なプリンタ情報を管理するプリンタ情報管理手段と、使用中のプリンタが使用不能となった場合、使用可能な代行プリンタを求める代行プリンタ判定手段と、前記代行プリンタのプリンタ情報を前記プリンタ情報管理手段から得る情報獲得手段と、前記情報獲得手段が得たプリンタ情報に基づいて、前記コマンドおよび前記イメージデータを前記代行プリンタ用に変換する変換手段と、変換手段からの変換結果を前記代行プリンタに送る送出手段とを備えたことを特徴とする。
請求項２の異機種間代行印刷システムは、請求項１において、各プリンタに対する前記プリンタ情報が、それぞれのプリンタ言語への変換テーブルを含み、且つ前記変換手段が、前記コマンドを代行プリンタのプリンタ言語に変換する言語変換手段を含むことを特徴とする。
請求項３の異機種間代行印刷システムは、請求項１又は２において、各プリンタに対する前記プリンタ情報が、それぞれのプリンタの解像度を含み、且つ前記変換手段が、イメージデータの解像度を代行プリンタの解像度に変換する解像度変換手段を含むことを特徴とする。
請求項４の異機種間代行印刷システムは、請求項３において、前記イメージ展開手段が、前記イメージデータの解像度が前記ネットワークに接続された全てのプリンタの機種の解像度の最小公倍数となるように前記展開を行うことを特徴とする。
請求項５の異機種間代行印刷システムは、請求項１乃至４の何れかにおいて、各プリンタに対する前記プリンタ情報が、それぞれのプリンタに必要なプロトコルを含み、且つ前記送出手段が、前記代行プリンタのプロトコルを用いて送信することを特徴とする。
請求項６のクライアント端末装置は、請求項１において、ネットワーク上に接続された複数の機種の異なるプリンタに対して異機種間代行印刷を行なうクライアント端末装置であって、該クライアント端末装置が、所与の印刷データをプリンタの機種に依存しないコマンドおよびページ毎のイメージデータに変換するイメージ展開手段と、各プリンタ機種に対する印刷上必要なプリンタ情報を管理するプリンタ情報管理手段と、使用中のプリンタが使用不能となった場合に使用可能な代行プリンタを求める代行プリンタ判定手段と、前記代行プリンタのプリンタ情報を前記プリンタ情報管理手段から得る情報獲得手段と、前記情報獲得手段が得たプリンタ情報に基づいて前記コマンドおよび前記イメージデータを前記代行プリンタ用に変換する変換手段と、変換手段からの変換結果を前記代行プリンタに送る送出手段とを備えたことを特徴とする。
請求項７のクライアント端末装置は、請求項６において、各プリンタに対する前記プリンタ情報が、それぞれのプリンタ言語への変換テーブルを含み、且つ前記変換手段が、前記コマンドを代行プリンタのプリンタ言語に変換する言語変換手段を含むことを特徴とする。
請求項８のクライアント端末装置は、請求項６又は７において、各プリンタに対する前記プリンタ情報が、それぞれのプリンタの解像度を含み、且つ前記変換手段が、イメージデータの解像度を代行プリンタの解像度に変換する解像度変換手段を含むことを特徴とする。
請求項９のクライアント端末装置は、請求項８において、前記イメージ展開手段が、前記イメージデータの解像度が前記ネットワークに接続された全てのプリンタの機種の解像度の最小公倍数となるように前記展開を行うことを特徴とする。
請求項１０のクライアント端末装置は、請求項６乃至１０の何れかにおいて、各プリンタに対する前記プリンタ情報が、それぞれのプリンタに必要なプロトコルを含み、且つ前記送出手段が、前記代行プリンタのプロトコルを用いて送信することを特徴とする。
請求項１１のプリンタは、請求項６乃至１０の何れか一項に記載のクライアント端末装置からのコマンド及び印刷データに基づいて、イメージデータを印刷することを特徴とする。
請求項１２のプリンタは、請求項１１において、前記クライアント端末装置から依頼された印刷を実行中に印刷ジョブを実行できなくなった場合、少なくとも当該印刷ジョブを実行できなくなった旨を前記クライアント端末装置に報告する手段を備えていることを特徴とする。